(57)【要約】【課題】  従来における地図表示板にあっては、文字等のサイズや要素どうしの間隔が全面で同一であったので、表示板を見る位置で視認性が悪くなるといった問題があった。【解決手段】  道の駅等のパーキングエリアに設置され人が立って見る地図を表示する表示板であって、平均的な身長の人の目の高さ（視線高）で表示する文字・図柄を基準サイズとして、表示板の見え難い位置を基準として放射方向に向かって文字・図柄を順次大きくし、かつ、現在地のエリアの文字・図柄の情報量を多くし、遠ざかるに従って情報量を少なくしたことを特徴とする。【選択図】        図１
2005284164.tif 000002
【特許請求の範囲】
【請求項１】
道の駅等のパーキングエリアに設置され人が立って見る地図表示方法であって、平均的な身長の人の目の高さ（視線高）の文字や図柄を基準サイズとして、表示板の見え難い位置を基準として放射方向に向かって、
【数１】
2005284164.tif 000006
なお、ＳＳ：  配置文字・図柄サイズ
Ｓ：  基準文字・図柄サイズ
Ｗ：  表示板の左端から中心位置までの長さ
ΔＷ：  表示板の右端から中心位置までの長さ
ｈ：  地面から視線高までの高さ
Δｈ：  視線高から表示板の頂部までの高さ
Ｄ：  表示板の表面から標準的な視力の人が立つ位置までの距離
前記演算式によって文字や図柄を順次大きく表示するようにしたことを特徴とする地図表示方法。
【請求項２】
道の駅等のパーキングエリアに設置され人が立って見る地図を表示する表示板であって、平均的な身長の人の目の高さ（視線高）で表示する文字・図柄を基準サイズとして、表示板の見え難い位置を基準として放射方向に向かって文字・図柄を順次大きくしたことを特徴とする表示板。
【請求項３】
前記文字・図柄を前記放射方向に向かって大きくする手段として、次式の
【数２】
2005284164.tif 000007
但し、ＳＳ：  配置文字・図柄サイズ
Ｓ：  基準文字・図柄サイズ
Ｗ：  表示板の左端から中心位置までの長さ
ΔＷ：  表示板の右端から中心位置までの長さ
ｈ：  地面から視線高までの高さ
Δｈ：  視線高から表示板の頂部までの高さ
Ｄ：  表示板の表面から標準的な視力の人が立つ位置までの距離
演算によって決定したことを特徴とする請求項２記載の表示板。
【請求項４】
前記地図に表示される現在地のエリアの少なくとも図柄の情報量を多くし、遠ざかるに従って情報量を少なくしたことを特徴とする請求項２記載の表示板。
【発明の詳細な説明】
【技術分野】
【０００１】
本発明は、道の駅等において設置され、至近距離で視認する大型の地図表示板において、該表示板の正面から見ても左右の端から見ても、地図に表示される市町村を示す文字、ルートマークやピクトグラム等の図柄の視認が良好に行えるようにした地図表示方法およびその表示方法を用いた表示板に関する。
【背景技術】
【０００２】
従来における前記した地図表示板１にあっては、図４に示すように道路地図に市町村を示す文字、ルートマークや主要な施設を示すピクトグラム等の図柄が表示されている。そして、これらの市町村の文字や図柄等は地図板上では全て同じ大きさで表示されている。
【発明の開示】
【発明が解決しようとする課題】
【０００３】
ところで、前記した従来例の地図表示板を道の駅等に設置する場合には、図５に示すように、非常に大きな表示板（例えば、横幅４ｍ、縦３ｍ）を地面（または床面）から１〜１．５ｍの高さに支柱１ａで立設されて表示するようになっている。そのために、図５（ａ）に示すように表示板１の中央位置（図５（ｂ）のイの位置）に人Ａが立って見る場合に、表示板１の真正面までの視距離Ｌ１と上部までの視距離Ｌ２は大きく異なり、従って、正面にある視距離Ｌ１においては文字等を不自由なく視認することが可能である。
【０００４】
しかし、前記文字のサイズや図柄のサイズの間隔が全面で同一であった場合、視距離Ｌ２での視認性は非常に悪くなる。このことは、図５（ｂ）に示すロの位置で表示板１を見る人Ａの場合には、表示板１の対角線上にある文字等、特に、上方に表示されている文字等は中央位置で見ている人Ａよりも非常に視認性が悪くなるといった問題があった。
【０００５】
また、適当なサイズの文字や図柄は表示板全面に均等に配置されているため、文字や図柄を最適な位置に配置し難く、そのために情報数が制限されてしまうといった問題が発生した。
【０００６】
本発明は前記した問題点を解決せんとするもので、その目的とするところは、現在地を示す中心部の文字や図柄サイズを小さく、現在地より離れるに従って文字や図柄のサイズを大きくすると共に、近いエリアに対する情報量を多くし、遠くの情報量を少なくすることで、近くのエリアの情報を詳細に知ることができる地図表示方法およびその表示方法を用いた表示板を提供せんとするにある。
【課題を解決するための手段】
【０００７】
本発明の地図表示方法は前記した目的を達成せんとするもので、その手段は、道の駅等のパーキングエリアに設置され人が立って見る地図表示方法であって、平均的な身長の人の目の高さ（視線高）の文字や図柄を基準サイズとして、表示板の見え難い位置を基準として放射方向に向かって、
【数１】
2005284164.tif 000003
但し、ＳＳ：  配置文字・図柄サイズ
Ｓ：  基準文字・図柄サイズ
Ｗ：  表示板の左端から中心位置までの長さ
ΔＷ：  表示板の右端から中心位置までの長さ
ｈ：  地面から視線高までの高さ
Δｈ：  視線高から表示板の頂部までの高さ
Ｄ：  表示板の表面から標準的な視力の人が立つ位置までの距離
前記演算式によって文字等を順次大きく表示するようにしたことを特徴とする。
【０００８】
本発明に係る地図表示方法を用いた表示板の請求項２の手段は、道の駅等のパーキングエリアに設置され人が立って見る表示板であって、平均的な身長の人の目の高さ（視線高）で表示する文字・図柄を基準サイズとして、表示板の見え難い位置を基準として放射方向に向かって文字・図柄を順次大きくしたものである。
【０００９】
請求項３の表示板の手段は前記した請求項２において、前記文字・図柄を前記放射方向に向かって大きくする手段として、次式の
【数２】
2005284164.tif 000004
但し、ＳＳ：  配置文字・図柄サイズ
Ｓ：  基準文字・図柄サイズ
Ｗ：  表示板の左端から中心位置までの長さ
ΔＷ：  表示板の右端から中心位置までの長さ
ｈ：  地面から視線高までの高さ
Δｈ：  視線高から表示板の頂部までの高さ
Ｄ：  表示板の表面から標準的な視力の人が立つ位置までの距離
演算によって決定したことを特徴とする。
【００１０】
請求項４の表示板の手段は前記した請求項２において、前記地図に表示される現在地のエリアの少なくとも図柄の情報量を多くし、遠ざかるに従って情報量を少なくしたことを特徴とする。
【発明の効果】
【００１１】
本発明は、道の駅等のパーキングエリアに設置され人が立って見る地図表示方法およびその表示方法を用いた表示板であって、平均的な身長の人の目の高さ（視線高）の文字等を基準サイズとして、表示板の左右下端隅部などの見え難い位置を基準として放射方向に向かって、文字等を順次大きく表示することで、表示板の中央位置および表示板の左右位置から見ても、表示板の全てに表示されている地名を表示する文字、ルートナンバー、ピクトグラム等の図柄の表示を明確に判別でき、また、近いエリアに対する情報量を多くし、遠くの情報量を少なくすることで、近くのエリアの情報を詳細に知ることができる等の効果を有するものである。
【発明を実施するための最良の形態】
【００１２】
本発明は、道の駅等のパーキングエリアに設置され人が立って見る地図表示方法およびその表示方法を用いた表示板であって、平均的な身長の人の目の高さ（視線高）の文字等を基準サイズとして、表示板の左右下端隅部などから放射方向に向かって、文字等を順次大きく表示するようにし、かつ、現在地に近いエリアの文字・図柄の情報量を多くし、遠ざかるに従って情報量を少なくした。
【実施例１】
【００１３】
以下、本発明に係る地図表示方法を用いた表示板の一実施例を図１、図３と共に説明する。
本発明に係る表示板１の大きさや地面から表示板１までの高さおよび視線高は同じとする、かつ、符号も同じ数字は同じ部材を示している。
【００１４】
本発明は、視線高の位置から左右の上部隅部に向かって地名を表示する文字やルートマークやピクトグラム（以下、図柄という）の大きさを徐々に大きくし、かつ、現在地に近いエリアの文字・図柄の情報量を多くし、遠ざかるに従って情報量を少なくしたことを特徴とするものである。すなわち、図２に示すように、視線高の位置における表示板１の左右端から放射方向に同心円を描き、各同心円の左右端の中心位置から遠くなるに従って文字等を大きくすると共に、現在地のエリアの文字・図柄の情報量を多くし、遠ざかるに従って情報量を少なくしたことを特徴とする。
【００１５】
そして、前記した文字等の大きさを決定するには以下の式に従って行う。
配置文字サイズ＝基準文字サイズ×配置文字拡大縮小係数
ここで、基準文字サイズとは、表示板１の中央位置で、かつ、視線高に表示
される文字サイズのことである。
【数３】
2005284164.tif 000005
但し、上記演算式における符号は図３（ａ）〜（ｃ）に示しているように、ＳＳは配置文字・図柄サイズ、S は基準文字・図柄サイズ、Ｗは表示板の左端から中心位置までの長さ、ΔＷは表示板の右端から中心位置までの長さ、ｈは地面から視線高までの高さ、Δｈは視線高から表示板の頂部までの高さ、Ｄは表示板の表面から標準的な視力の人が立つ位置までの距離である。
【００１６】
前記した演算式に基づいて作成した文字等は図２に示す大きさとなり、この文字等を実際の地図に表示すると図１に示す地図表示板となる。この図からも判るように、文字や図柄は表示板１の中央における視線高の文字「作手村」の文字が一番小さく、上方で、かつ、左右方向に向かって文字「根羽村」や３６３のルートマークやピクトグラム等の図柄が大きくなっている。
【００１７】
このように、文字や図柄が中央位置における視線高より上方で、かつ、左右方向に行くに従って大きくなっていることにより、表示板１の中央位置での視認性は勿論のこと、表示板１の左右位置での視認性が向上し、従って、複数の人が同時に表示板１を見る状況においても、表示板１の何れの位置からも文字等をはっきりと確認することができ、かつ、現在地に対して近いエリアの情報を小さく表示することで多くの情報を配置することができ、かつ、現在地から遠方の情報を大きくかつ少なく配置することで、全体の配置バランスを最適なものとすることが可能となる。
【００１８】
これにより、表示板１に対する視認性（見易さ）を向上させると共に、表示板１が設置されている現在地に対する情報を遠方に比べてより多く提供することが可能となる。
【図面の簡単な説明】
【００１９】
【図１】本発明の地図表示方法を用いた表示板の正面図である。
【図２】地図を作成するための基本概念を示す説明図である。
【図３】（ａ）は表示板を左隅から見ている状態の正面図、（ｂ）は（ａ）の同上の側面図、（ｃ）は（ａ）の平面図である。
【図４】従来における地図表示板の正面図である。
【図５】（ａ）は人が同上の表示板を見ている状態の側面図、（ｂ）は人が中央位置や左右の位置で見ている状態の平面図である。
【符号の説明】
【００２０】
１          表示板
【図１】
2005284164.tif 000008
【図２】
2005284164.tif 000009
【図３】
2005284164.tif 000010
【図４】
2005284164.tif 000011
【図５】
2005284164.tif 000012